【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】
遊技盤において遊技球の発射経路と、遊技球の流下が行われる遊技領域と、同遊技領域の外部とがそれぞれ遊技レールにより区画される遊技機において、
上記遊技レールは、
上記遊技盤に略垂直に立設される区画壁と、
同区画壁の遊技球の経路側の壁面に対して付勢するように保持される帯状のガイド板と、
上記ガイド板の一部を所定量遊技球の経路側に押し出すことにより上記ガイド板の傾斜角度を調節可能な押出機構とを具備することを特徴とする遊技機。
【請求項２】
上記押し出し機構は、
上記区画壁に形成され、所定の皿ネジを上記遊技盤に向かって略垂直に螺合させていくと同皿ネジの頭部の傾斜面が次第に上記ガイド板におけるガラス面側の端部に上記区画壁の側から当接するネジ穴を備えることを特徴とする請求項１に記載の遊技機。
【請求項３】
上記押出機構は、
上記区画壁における遊技球の経路の外側方向から同経路側に向かって進行しつつ螺合されるネジの先端が、上記ガイド板の一部を遊技球の経路側に押し出すことを特徴とする請求項１または請求項２のいずれかに記載の遊技機。
【請求項４】
上記押出機構は、
上記区画壁と上記ガイド板との間にくさびを進入させることにより上記ガイド板の一部を遊技球の経路側に押し出すことを特徴とする請求項１から請求項３のいずれかに記載の遊技機。
【請求項５】
上記くさびは回転レバーに接合されるとともに、上記回転レバーを回転させることにより上記区画壁と上記ガイド板との間に進入することを特徴とする請求項４に記載の遊技機。
【請求項６】
上記押出機構が上記ガイド板を押し出すことにより形成される上記区画壁と上記ガイド板との隙間に充填材が充填されることを特徴とする請求項１から請求項５のいずれかに記載の遊技機。
【手続補正２】
【補正対象書類名】明細書
【補正対象項目名】０００９
【補正方法】変更
【補正の内容】
【０００９】
なお、上記区画壁は遊技球の流通経路を他の領域と区画することができれば良く、上記遊技領域と上記遊技領域の外部とを区画する外側レールの壁面であっても良いし、遊技球の発射経路と上記遊技領域とを区画する内側レールの壁面であっても良い。さらに、遊技球の発射経路と遊技領域の外部とを区画する外側レールの壁面であっても良い。このような区画壁を備える遊技レールにおいては種々の態様のものが考えられる。例えば、上記外側レールや上記内側レールを単独で備える遊技レールや、上記外側レールや上記内側レールが一体化した遊技レールであっても良い。なお、通常上記遊技領域は円形であり、同遊技領域に沿って形成される遊技球の発射経路は弧状となるため、上記区画壁は曲面状となる場合が多い。
本発明は、上記の構成に限られるものではなく、以下の手段も含むものである。
【手続補正３】
【補正対象書類名】明細書
【補正対象項目名】００１０
【補正方法】変更
【補正の内容】
【００１０】
手段１および請求項２
手段１および請求項２にかかる発明は、請求項１に記載の発明において、上記押し出し機構は、所定の皿ネジを上記遊技盤に向かって略垂直に螺合させていくと、同皿ネジの頭部の傾斜面が次第に上記ガイド板におけるガラス面側の端部に上記区画壁の側から当接するように上記区画壁に形成されたネジ穴を備える構成としてある。
上記のように構成した手段１および請求項２の発明において、上記ネジ穴は上記区画壁に形成され所定の皿ネジを上記遊技盤に向かって略垂直に螺合させる。このとき、上記皿ネジの傾斜面も上記遊技盤に向かって進行し、上記皿ネジを所定量上記ネジ穴に螺合させていくと、同皿ネジの頭部の傾斜面が次第に上記ガイド板におけるガラス面側の端部に上記区画壁の側から当接する。すなわち、上記皿ネジの頭部の傾斜面が当接する上記ガイド板におけるガラス面側の端部を遊技球の経路側に押し出すことができる。上記ガイド板におけるガラス面側の端部のみが遊技球の経路側に押し出され、それ以外の部分は上記区画壁に向かって付勢されるため、上記ガイド板の傾斜角度を上記遊技盤の盤面に対して鋭角とするように調整することができる。上記皿ネジと上記ネジ穴との間の摩擦は大きくすることができるため、上記ガイド板の上記区画壁への付勢力に抗して上記皿ネジの頭部の傾斜面による押し出し状態を維持することができる。また、上記ネジ穴に対する上記皿ネジの螺合量は任意の量とすることができるため、上記ガイド板の傾斜角度も微調整することができる。
【手続補正４】
【補正対象書類名】明細書
【補正対象項目名】００１１
【補正方法】変更
【補正の内容】
【００１１】
手段２および請求項３
手段２および請求項３にかかる発明は、請求項１または手段１のいずれかに記載の発明において、上記押出機構は、上記区画壁における遊技球の経路の外側方向から同経路側に向かって進行しつつ螺合されるネジの先端が上記ガイド板の一部を遊技球の経路側に押し出す構成としてある。
上記のように構成した手段２および請求項３の発明は、上記区画壁における遊技球の経路の外側方向から同経路側に向かって進行しつつ螺合されるネジの先端が上記ガイド板に接触することにより、上記ネジを徐々に螺合させていけば上記ガイド板の一部を遊技球の経路側に押し出すことができる。また、上記ネジの螺合量を調整することにより上記ガイド板の押出量を任意に調整することができる。
【手続補正５】
【補正対象書類名】明細書
【補正対象項目名】００１２
【補正方法】変更
【補正の内容】
【００１２】
手段３および請求項４
手段３および請求項４にかかる発明は、請求項１または手段１または手段２のいずれかに記載の発明において、上記押出機構は、上記区画壁と上記ガイド板との間にくさびを進入させることにより上記ガイド板の一部を遊技球の経路側に押し出す構成としてある。
上記のように構成した手段３および請求項４の発明は、上記区画壁と上記ガイド板との間にくさびを進入させることにより、同くさびの進入量に応じて上記ガイド板の一部を遊技球の経路側に押し出すことが可能となる。
【手続補正６】
【補正対象書類名】明細書
【補正対象項目名】００１３
【補正方法】変更
【補正の内容】
【００１３】
手段４および請求項５
手段４および請求項５にかかる発明は、手段３に記載の発明において、上記くさびは回転レバーに接合されるとともに、上記回転レバーを回転させることにより上記区画壁と上記ガイド板との間に進入する構成としてある。
上記のように構成した手段４および請求項５の発明は、上記くさびを上記回転レバーに接合し同回転レバーの回転に伴って、同くさびが上記区画壁と上記ガイド板との問に進入するようにすれば上記ガイド板の傾斜角度の調整が簡単な作業となる。
【手続補正７】
【補正対象書類名】明細書
【補正対象項目名】００１４
【補正方法】変更
【補正の内容】
【００１４】
手段５および請求項６
手段５および請求項６にかかる発明は、請求項１または手段１から手段４のいずれかに記載の発明において、上記押出機構が上記ガイド板を押し出すことにより形成される上記区画壁と上記ガイド板との隙間に充填材が充填される構成としてある。
上記のように構成した手段５および請求項６の発明は、上記押出機構が上記ガイド板を押し出すことにより上記区画壁と上記ガイド板との間に隙間が形成されることとなる。この隙間があることにより、上記ガイド板における遊技球の反射状態が変わるおそれがあり、上記区画壁と上記ガイド板との間の隙間に充填材を充填させることにより、反射状態の変動を抑制することが可能となる。
【手続補正８】
【補正対象書類名】明細書
【補正対象項目名】００２８
【補正方法】変更
【補正の内容】
【００２８】
【発明の効果】
請求項１にかかる発明によれば、遊技球の接触面となるガイド板の傾斜角度を簡単に微調整可能とするとともに安定させることができる。
手段１および請求項２にかかる発明によれば、簡単にガイド板の傾斜角度を微調整できる。
手段２および請求項３にかかる発明によれば、簡単にガイド板の傾斜角度を微調整できる。
手段３および請求項４にかかる発明によれば、簡単にガイド板の傾斜角度を微調整できる。
手段４および請求項５にかかる発明によれば、ガイド板の傾斜角度の微調整を簡単に行うことができる。
【手続補正９】
【補正対象書類名】明細書
【補正対象項目名】００２９
【補正方法】変更
【補正の内容】
【００２９】
手段５および請求項６にかかる発明によれば、遊技球の反射状態を一定とすることができる。
手段６にかかる発明によれば、ガイド板の傾斜角度を増大させることができる。
手段７にかかる発明によれば、区画壁を傾斜しやすくすることができる。
【手続補正１０】
【補正対象書類名】明細書
【補正対象項目名】００５２
【補正方法】変更
【補正の内容】
【００５２】
むろん、ネジ穴１３６ｃに対するネジ１３７ａの螺合量は所定の範囲で任意とすることができるため、ガイド板１３６ａの傾斜角度を所定の範囲で任意に調整することができる。ネジ１３７ａの先端とガイド板１３６ａとの接触部以外の部分において、ガイド板１３６ａと区画壁１３６ｂとの間には隙間が形成される。本実施形態においては、この隙間に充填材１３６ｆを充填している。このようにすることにより、充填材１３６ｆが発射経路１３２の外側からガイド板１３６ａを支持するため、遊技球の衝突時に瞬間的にガイド板１３６ａが撓むことを防止し良好な反射性を実現することができる。充填材１３６ｆの材質としては種々のものが採用可能であるが、所望の角度にガイド板１３６ａを調整した後に、流動性のある合成樹脂をガイド板１３６ａと区画壁１３６ｂとの隙間に流し込み、その後に同合成樹脂を硬化させる等すればよい。